(57)【要約】 【課題】注液ノズル内に電解液の液膜が生じるのを効果的に防止しながらも、電池ケース内での電解液の吸液速度に適応するように注液ノズル内の流量を抑制して注液できるリチウム二次電池の注液方法およびその注液方法を忠実に具現化した注液装置を提供する。【解決手段】電池ケース２９内を所定の真空度に真空引きし、所定量の有機電解液を注入した注液ホッパー１１の一時貯液室１２を電池ケース２９内の圧力に対し所定値だけ高い圧力差が生じる真空度に真空引きし、注液ホッパー１１の注液口１１ａを開いて一時貯液室１２の有機電解液を圧力差により注液口１１ａおよび注液ノズル１８を介して電池ケース２９内に注液する。注液ノズル１８として、有機電解液の表面張力による液膜が生じない内径φ２を有し、且つ有機電解液の極板群３０への含浸速度に適応する有機電解液の流量を設定する流量抑制部材５３が内壁面に設けられたものを用いる。【選択図】図５
2008091065.tif 000002
【特許請求の範囲】
【請求項１】
電池ケース内を所定の真空度に真空引きする工程と、
所定量の有機電解液を注入した注液ホッパー内の一時貯液室を前記電池ケース内の圧力以上の圧力の真空度に真空引きする工程と、
前記注液ホッパーの注液口を開いて前記一時貯液室内の前記有機電解液を前記圧力差により前記注液口およびこれに連接された注液ノズルを介して前記電池ケース内に注液する工程とを有し、
前記電池ケース内に注液ノズルを介して有機電解液を注液する工程において、前記注液ノズルとして、有機電解液の表面張力による液膜が生じない内径を有し、且つ有機電解液の極板群への含浸速度に適応する有機電解液の流量を設定する流量抑制部材が内壁面に設けられたものを用いることを特徴とするリチウム二次電池の注液方法。
【請求項２】
電池ケースを収納する内部が密閉空間とされる注液チャンバと、
所定量の有機電解液を貯留する一時貯液室が内部に設けられた注液ホッパーと、
前記一時貯液室の注液口を開閉するホッパー開閉弁と、
上端が前記注液口に連接され、且つ下端が前記電池ケースの開口部に近接して対向される注液ノズルと、
前記電池ケース内を所定の真空度に減圧する電池ケース減圧手段と、
前記注液ホッパーの一時貯液室内を前記電池ケース内の圧力以上の圧力の真空度に減圧するチャンバ減圧手段とを備え、
前記注液ノズルは、有機電解液の表面張力による液膜が生じない内径を有し、且つ有機電解液の極板群への含浸速度に適応する有機電解液の流量を設定する流量抑制部材が内壁面に設けられていることを特徴とするリチウム二次電池の注液装置。
【請求項３】
注液ノズルの内壁面に設けられる流量抑制部材は、前記注液ノズルの上端からこれの内径の約１．５倍の離間距離だけ離れた位置に配設されている請求項２に記載のリチウム二次電池の注液装置。
【請求項４】
注液ノズルの下端開口が、所定角度で斜めに切断した形状を有する液出口に形成され、流量抑制部材が、台形状の縦断面形状を有して、前記注液ノズルの内壁面における前記液出口の下端の先鋭導液端に対し径方向で相対向する配置で設けられている請求項２または３に記載のリチウム二次電池の注液装置。
【発明の詳細な説明】
【技術分野】
【０００１】
本発明は、リチウム二次電池の製造過程における極板群が収納された電池ケース内に所定量の有機電解液を注液する工程での電解液の注液方法およびその注液方法を具現化した注液装置に関するものである。
【背景技術】
【０００２】
リチウム二次電池は、電池ケース内に極板群を収納したのちに有機電解液を注液し、電池ケースの開口部を密閉状態に閉塞する工程を経て製造される。有機電解液の注液工程では、電池ケース内に注入した比較的粘性の高い有機電解液が、正、負の極板をセパレータを介在させて高密度に積層または積層状態で渦巻状に巻回されてなる極板群の小さな隙間に浸透させ難いために、所定量の有機電解液を含浸させるまでに長い時間を要する。
【０００３】
電解液を速やかに極板群に含浸させるために、従来では、電解液を注入した電池ケースの開口部に気密状態で接続した真空ポンプを駆動させて電池ケース内を減圧することにより、電池ケース内の減圧に伴って極板群の隙間に存在する空気を気泡として電解液の液面に浮上させることが行われていた。ところが、この注液手段では、電解液の極板群への浸透を或る程度促進できるが、極板群の隙間に存在する空気が微細な気泡となるため、この微細な気泡が、極板群の表面に付着したりして電解液の液面に速やかに浮上しないので、電解液の注液時間を短縮することができない。
【０００４】
また、有機電解液の注液時間をさらに短縮するために、上述の減圧手段に加えて、電解液を充填した電池ケースの開口部を閉塞した状態で電池ケース内の有機電圧液を不活性ガス、エアー圧あるいは遠心力で加圧したりすることにより、電解液を極板群に強制的に含浸させるように図った装置も知られている。しかし、この注液装置は、電池ケース内での含浸速度よりも電解液の電池ケースへの注液速度が速くなって、電解液の液溢れや飛散などが生じ易く、しかも、電池ケース内の加圧状態を解除して大気圧に戻した瞬間に、極板群の隙間で加圧されて小さく押し潰されていた気泡が大きく膨張するため、極板群の隙間に一旦含浸させた有機電解液が電池ケースの外部に飛び出してしまう問題がある。
【０００５】
そこで、従来では、上述した問題の解消を図るために、以下に説明する種々の注液装置が提案されている。先ず、第１の注液装置は、極板群が予め収納された電池ケースの開口部を閉塞シリンダによって気密に閉塞して、吸引部を介して接続された減圧機の駆動によって電池ケース内を減圧した状態でピストンを駆動することにより、一時貯液室の内の有機電解液を注液管から電池ケース内に注入するとともに、減圧機の駆動制御によって電池ケース内を減圧状態から加圧状態に変えて、有機電解液の極板群への浸透を促進するように図っている（特許文献１参照）。
【０００６】
上記注液装置では、注液管の上端が一時貯液室内の電解液の液面よりも上方に突出されており、一時貯液室内に注入された電解液を注液管に流入させずに貯留した状態において、電池ケースの内部を減圧し、ピストンが一時貯液室内の電解液の液面を押し上げて電解液を注液管を介し電池ケース内に注液するようになっている。
【０００７】
この注液装置では、閉塞シリンダで閉塞した電池ケース内を、電解液の注液前に減圧機の駆動により減圧して電池ケース内の空気を排気するので、極板群の隙間に存在する空気も排気される。これにより、電池ケースに注入した電解液は、極板群の微細な隙間への浸透を促進されながら、極板群に含浸される。そののち、電池ケースの圧力が大気圧近くまで徐々に上昇されることにより、電解液が極板群に強制的に含浸される。
【０００８】
また、第２の注液装置は、電池ケース内に注入すべき電解液の全量を所定量ずつに分割計量してカップ部材に供給し、このカップ部材を電池ケースの開口部に近接させ、カップ部材と電池ケースとを収容する注液ブース内を減圧した状態で、カップ部材から電池ケース内に所定量の電解液を注液したのちに、注液ブース内を大気に開放し、この一連の工程を電解液の分割回数だけ繰り返して、電池ケース内に全電解液量を注入することにより、電解液の注液工程を円滑に遂行できるように図っている（特許文献２参照）。
【０００９】
さらに、第３の注液装置は、電池ケースの開口部を気密に封口する閉塞部と、その一端側が閉塞部に接続されるとともに他端側に電解液が供給される注入ラインと、この注入ラインの途中に設けられ、電池ケース内の極板群に含浸させる所定量の電解液を貯留する貯留部と、この貯留部を第１の気圧まで減圧する第１の減圧部と、貯留部内を大気開放する大気開放部と、電池ケース内を第１の気圧よりも低い第２の気圧まで減圧する第２の減圧部とを備えている（特許文献３参照）。
【００１０】
この注液装置では、貯留部内を第１の気圧まで減圧することによって電解液を脱泡し、電池ケース内を貯留部の内部以上の高い真空度に減圧することによって電解液の極板群への浸透を促進し、貯留部内を大気開放することによって電解液を加圧して電解液の極板群への含浸を促進するように図っている。
【特許文献１】特許第３４６７１３５号公報
【特許文献２】特開平９−２７４９０７号公報
【特許文献３】特開平１１−７３９４２号公報
【発明の開示】
【発明が解決しようとする課題】
【００１１】
上記従来の何れの注液装置においても、正、負の極板をセパレータを介在させて高密度に積層または積層状態で渦巻状に巻回されてなる極板群の小さな隙間に、リチウム二次電池に用いられる比較的粘性の高い有機電解液を浸透させ難いために、有機電解液の極板群への含浸速度に限界があり、注液ノズル内を流動する有機電解液の流速を制限して、電解液の注液速度が電解液の極板群への含浸速度を超えないように設定する必要がある。そこで、従来では、図７に示すように、注液ノズル６０として、内径φ１が１．５〜３ｍｍ程度の比較的細い管材を用いることにより、注液ノズル６０内を流動する有機電解液の流速を遅くなるように抑制している。
【００１２】
しかしながら、上述のように内径φ１が小さい注液ノズル６０を用いるときには、図７の注液ホッパー６１内部の一時貯液室６２内の有機電解液（図示せず）を注液ノズル６０を介して電池ケース内に注液した後に、注液ノズル６０における一時貯液室６２に近接した上端箇所に有機電解液の表面張力によって液膜６３が生じ、この液膜６３が注液ノズル６０の上端開口部を閉塞するので、比較的高い粘性によって一時貯液室１２の内壁面に付着して残存した有機電解液が、上記液膜６３によって流下を阻止されて注液ノズル６０と一時貯液室６２の注液口６４との境界箇所の周辺に残存してしまう。このような電解液の残液が生じた場合には、電池ケースへの注液量が所定値よりも減少して、注液量にばらつきが生じる結果、注液精度が悪くなって電池容量の低下を招く。
【００１３】
しかも、注液ノズル６０の上端部および一時貯液室６２内の注液口６４の周辺に残った電解液は、時間の経過に伴って注液ノズル６０の内壁面を伝って滴下し、電解液の注液が完了して次工程に搬送中の電池ケースに付着したり、注液装置上に滴下したのち飛散したりする不具合が発生する。この滴下する有機電解液は、電池ケースや注液装置を汚損するだけでなく、腐食性を有していることから、他の部材や機器に転移して付着した場合には、それらの動作が不安定となる悪影響を与える恐れがある。さらに、有機電解液はリチウム二次電池における高価な材料の一つであるから、上述のように電池ケース外に滴下することによる液ロスは大きな経済的損失となる。
【００１４】
そこで、上述の電解液の液膜６３の発生を防止するために、内径の大きな注液ノズルを用いることが考えられるが、そのような注液ノズルを用いた場合には、内部を流動する電解液の流速が速くなり過ぎて、電解液の注液速度が電解液の極板群への含浸速度を超えてしまい、電解液の電池ケースからの液溢れや飛散が発生する。
【００１５】
本発明は、上記課題に鑑みてなされたものであり、注液ノズル内に電解液の液膜が生じるのを効果的に防止しながらも、電池ケース内での電解液の吸液速度に適応するように注液ノズル内の流量を抑制して注液できるリチウム二次電池の注液方法およびその注液装置を提供することを目的としている。
【課題を解決するための手段】
【００１６】
上記目的を達成するために、請求項１に係る発明のリチウム二次電池の注液方法は、電池ケース内を所定の真空度に真空引きする工程と、所定量の有機電解液を注入した注液ホッパー内の一時貯液室を前記電池ケース内の圧力以上の圧力の真空度に真空引きする工程と、前記注液ホッパーの注液口を開いて前記一時貯液室内の前記有機電解液を前記圧力差により前記注液口およびこれに連接された注液ノズルを介して前記電池ケース内に注液する工程とを有し、前記電池ケース内に注液ノズルを介して有機電解液を注液する工程において、前記注液ノズルとして、有機電解液の表面張力による液膜が生じない内径を有し、且つ有機電解液の極板群への含浸速度に適応する有機電解液の流量を設定する流量抑制部材が内壁面に設けられたものを用いることを特徴としている。
【００１７】
請求項２に係る発明のリチウム二次電池の注液装置は、電池ケースを収納する内部が密閉空間とされる注液チャンバと、所定量の有機電解液を貯留する一時貯液室が内部に設けられた注液ホッパーと、前記一時貯液室の注液口を開閉するホッパー開閉弁と、上端が前記注液口に連接され、且つ下端が前記電池ケースの開口部に近接して対向される注液ノズルと、前記電池ケース内を所定の真空度に減圧する電池ケース減圧手段と、前記注液ホッパーの一時貯液室内を前記電池ケース内の圧力以上の圧力の真空度に減圧するチャンバ減圧手段とを備え、前記注液ノズルが、有機電解液の表面張力による液膜が生じない内径を有し、且つ有機電解液の極板群への含浸速度に適応する有機電解液の流量を設定する流量抑制部材が内壁面に設けられていることを特徴としている。
【００１８】
請求項３に係る発明は、請求項２の発明のリチウム二次電池の注液装置における注液ノズルの内壁面に設けられる流量抑制部材が、前記注液ノズルの上端からこれの内径の約１．５倍の離間距離だけ離れた位置に配設されている。
【００１９】
請求項４に係る発明は、請求項２または３の発明のリチウム二次電池の注液装置における注液ノズルの下端開口が、所定角度で斜めに切断した形状を有する液出口に形成され、流量抑制部材が、台形状の縦断面形状を有して、前記注液ノズルの内壁面における前記液出口の下端の先鋭導液端に対し径方向で相対向する配置で設けられている。
【発明の効果】
【００２０】
請求項１の発明では、注液工程の終了時に粘性の高い有機電解液の表面張力により注液ノズルの上端開口部に液膜を発生しようとする作用が生じるが、注液ノズルが有機電解液の表面張力による液膜が生じない大きな内径を有しているので、液膜となる前に有機電解液の表面張力が減衰して有機電解液が注液ノズル内に流下するので、液膜が形成されない。そのため、注液工程の終了後に注液ホッパーの内壁面に付着している有機電解液は、注液ホッパーの注液口から注液ノズル内に流入して、流量抑制部材により一時的にせき止められて付着のち、自重により流下するので、注液ノズルにおける流量抑制部材と注液口との間の内周壁に環状形状に付着することを抑制する。この有機電解液の微小な量の一時的な付着は、注入すべき有機電解液の種類が変わらない限り同一の粘性抵抗を有する有機電解液により形成されることから、注液すべき有機電解液の粘性の相違に応じた内径の注液ノズルを設けることにより、付着条件が同じで、注液工程の終了時の付着を確実に抑制できる。そのため、電池ケースへの注液量は、ばらつきが生じることなく常に所定値に維持されるので、注液精度の向上に伴って所要の電池容量を確実に確保できる。
【００２１】
また、注液ノズルには、有機電解液の極板群への含浸速度に適応する有機電解液の流量を設定する流量抑制部材が注液ノズルの内壁面に設けられているので、液膜の発生を防止する目的で内径の大きい注液ノズルを用いているにも拘らず、有機電解液の極板群への含浸速度に適応する注液速度に制御することができるから、電解液の電池ケースからの液溢れや飛散が発生することがない。しかも、有機電解液の注液速度は、注液ノズルの流量抑制部材で制御するので、電池ケースと一時貯液室との間の圧力差を高精度に制御する必要がない。
【００２２】
請求項２の発明では、注液ノズルが、有機電解液の表面張力による液膜が生じない内径を有し、且つ有機電解液の極板群への含浸速度に適応する有機電解液の流量を設定する流量抑制部材が内壁面に設けられているので、請求項１に係る発明の注液方法を忠実に具現化して、その注液方法と同様の効果を確実に得ることができる。
【００２３】
請求項３の発明では、流量抑制部材を、注液ノズルの上端からこれの内径の約１．５倍の離間距離だけ離れた位置に配設しているので、付着する有機電解液を、注液工程の終了時毎に恒常的に注液ノズルの内周面に付着して残存させないため、時間の経過に伴って注液ノズルの内壁面を伝って滴下することがなく、電解液の注液が完了して次工程に搬送中の電池ケースに滴下する有機電解液が付着したり、注液装置上に滴下した有機電解液が飛散したりする不具合が発生することがなくなり、腐食性を有する有機電解液の付着により電池ケースや注液設備を汚損させる恐れがないとともに、液ロスによる経済的損失も生じない。
【００２４】
請求項４の発明では、流量抑制部材が、台形状の縦断面形状を有して、注液ノズルの内壁面における液出口の下端の先鋭導液端に対し径方向で相対向する配置で設けられているので、有機電解液を流量抑制部材の台形状の上部斜面に沿って流動させることによって先鋭導液端に向けて流下するようにガイドするので、注液ノズルの注液口から流出するときの有機電解液の液切れ性が有効に向上する。
【発明を実施するための最良の形態】
【００２５】
以下、本発明の最良の実施の形態について、図面を参照しながら説明する。図１は本発明の一実施の形態に係るリチウム二次電池の注液方法を具現化した注液装置を示す要部破断した正面図である。この注液装置は、鉛直に配置された複数のスライドガイド支柱２と、これらスライドガイド支柱２に沿ってスライドしながら上下動する複数の支持筒体３と、隣接する各２つの支持筒体３をこれらに架け渡された配置で相互に連結する上，下部連結フレーム４，７とにより、昇降枠体１が構成されており、この昇降枠体１は、支持筒体３と上，下部連結フレーム４，７との摺動により、スライドガイド支柱２に沿って上下動する。各スライドガイド支柱２の各々の上端面上には、これらに架け渡す配置でメインフレーム８が固着されており、このメインフレーム８上にはメインシリンダ９が固定されている。このメインシリンダ９は、これのピストンロッド９ａの先端部が上部連結フレーム４の上面に固定されて、昇降枠体１を介して後述の注液ユニット１０を上下動させる。
【００２６】
上記注液ユニット１０は、内部空間が一時貯液室１２となった注液ホッパー１１と、この注液ホッパー１１の底部の注液口１１ａを開閉するホッパー開閉弁１３と、このホッパー開閉弁１３がピストンロッド１４ａの先端部に固着されて当該ホッパー開閉弁１３を開閉制御する弁開閉シリンダ１４と、上端部が上記注液口１１ａに液密に嵌着されて垂設された注液ノズル１８と、上記ピストンロッド１４ａを気密状態で摺動自在に挿通させた状態で注液ホッパー１１の上端開口部を開閉自在に密閉する蓋体１７と、後述する注液チャンバ２７を備えて構成されている。
【００２７】
上記弁開閉シリンダ１４は、そのピストンロッド１４ａを垂下させた配置で、上部連結フレーム４の下面に固定され、そのピストンロッド１４ａは、蓋体１７および保持部材１９に摺動自在に挿通されている。蓋体１７には、一時貯液室１２を後述の真空ポンプに連通接続する接続管２０の先端部が挿通状態で気密に取り付けられている。注液ノズル１８は、その上端部がシール部材２１を介して取付プレート２２に液密に取り付けられており、この取付プレート２２は、注液ホッパー１１の外部下面に当てがわれた状態で、複数本の固定ねじ２３により注液ホッパー１１に固定されている。したがって、固定ねじ２３で連結された注液ホッパー１１と注液ノズル１８とは、取付ねじ２４を挿抜することによって下部連結フレーム７に対し着脱自在に固定されている。本発明はこの注液ノズル１８の形状および取付形態に特徴を有しており、この点についての詳細は後述する。
【００２８】
上述のように注液ノズル１８を吊下形態で注液ホッパー１１に取り付ける取付プレート２２は、取付ねじ２４により、注液チャンバ２７と共に下部連結フレーム７に固着されている。このとき、注液ノズル１８は、下部連結フレーム７および注液チャンバ２７の上壁を挿通して、注液チャンバ２７の内部に臨入されている。注液チャンバ２７は下方が開口した形状になっており、この注液チャンバ２７の上壁には、これの内部空間を後述の真空ポンプに連通接続する接続管２８の先端部が挿通状態で気密に取り付けられている。この注液チャンバ２７は所定の注液ステーションに配置されており、注液ステーションには、極板群３０が予め挿入されたリチウム二次電池用電池ケース２９が、図示省略した搬送手段により搬送されて位置決め停止される。電池ケース２９には、後工程において封口体（図示せず）に接続される接続リード３１が、極板群３０に一端を接続されて電池ケース２９の開口部から外部導出された状態に取り付けられている。
【００２９】
上記注液装置の配管系統図を示す図２において、注液ホッパー１１内部の一時貯液室１２は、これに連通接続された接続管２０の分岐管路を介して第１真空ポンプ３２に接続されているとともに、その第１真空ポンプ３２への分岐管路中に第１の電磁弁３４が介設されている。一方、注液チャンバ２７の内部空間は、これに連通接続された接続管２８の分岐管路を介して第２真空ポンプ３８に管路接続されているとともに、その第２真空ポンプ３８への分岐管路中に第２の電磁弁３９が介設されている。また、上記２つの接続管２０，２８には、それぞれ電磁弁４１，４２を介設した大気開放用管路が分岐接続されている。
【００３０】
上記注液ホッパー１１には、内部に一時貯液室１２の真空圧を計測するための設定圧計測用真空ゲージ４３が接続されているとともに、この真空ゲージ４３の計測圧に基づき第１の電磁弁３４を開閉制御する第１の弁制御部４７が設けられている。一方、上記注液チャンバ２７には、これの内部空間の真空圧を計測するための設定圧計測用真空ゲージ４８が接続されているとともに、この真空ゲージ４８の計測圧に基づき第２の電磁弁３９を開閉制御する第２の弁制御部５０が設けられている。また、この注液装置は、有機電解液を貯留する電解液タンク（図示せず）から所定量の有機電解液を液供給ノズル５１を介して注液ホッパー１１の一時貯液室１２内に供給する定量ポンプ５２を備えている。
【００３１】
つぎに、上記注液装置による電池ケース２９への有機電解液の注液工程について、図３および図４を参照しながら説明する。先ず、注液作業に先立って、電池ケース２９内の所望の圧力値が第２の弁制御部５０に設定されるとともに、一時貯液室１２に対する所望の圧力値が第１の弁制御部４７に設定される。図３は電池ケース２９内の圧力と有機電解液の吸液時間との関係を示す特性図である。同図において、電池ケース２９内を減圧するときの圧力値は、有機電解液の沸点ｂｐ以下の圧力値における電解液の吸液時間範囲ｔを可及的に短縮できる圧力範囲ＰＤ内、具体的には−７０ｋｐａ〜−９５ｋｐａの真空度の範囲内における有機電解液の粘性などに対し適した圧力値が選択して設定される。上記圧力範囲ＰＤ内に設定すれば、吸液時間ｔは極めて短い１．１〜１．５２分となる。この実施の形態では電池ケース２９内の圧力を−９５ｋｐａの真空度に設定した場合について以下に説明する。
【００３２】
一方、図４は電池ケース２９内の圧力の一時貯液室１２の圧力に対する圧力差と注液ノズル１８内を流動する電解液の流速との関係を示す特性図であり、同図において、上述のように設定される電池ケース２９内の圧力は、一時貯液室１２内の圧力に対して、電池ケース２９内での有機電解液の極板群３０への吸液速度に適応できる注液速度となる圧力差範囲ＰＳ、具体的には０〜２０ｋＰａの範囲内における有機電解液の粘性などに対し適した圧力値が選択して設定される。上記圧力差範囲ＰＳに設定すれば、注液ノズル１８内の有機電解液の流速範囲Ｃは、０．１〜２ｍ／ｓｅｃの値に抑制できる。この実施の形態では約１０ｋＰａの圧力差に設定した場合について以下に説明する。
【００３３】
図１に示すように、注液工程の前段の組立工程において極板群３０を挿入された電池ケース２９は、注液工程に向け順次搬送されて、注液チャンバ２７の下方位置である注液ステーションに位置決め停止される。このとき、注液チャンバ２７は、メインシリンダ９の吸引動作により昇降枠体１を介して注液ユニット１０が上昇されることにより、搬送されてくる電池ケース２９の障害とならない高さ位置に退避されている。電池ケース２９が所定の注液ステーションに位置決め停止されたならば、メインシリンダ９の吐出動作により昇降枠体１を介して注液ユニット１０が下降されることにより、注液チャンバ２７の下端面がシール部材（図示せず）を介して床面に気密に密着して、注液チャンバ２７の内部が密閉空間となり、この密閉空間内に電池ケース２９が収納された状態となる。
【００３４】
一方、注液ユニット１０では、弁開閉シリンダ１４のピストンロッド１４ａの吐出動作によって下降されたホッパー開閉弁１３で一時貯液室１２の注液口１１ａが液密に閉塞された状態において、蓋体１７が注液ホッパー１１から取り外されて一時貯液室１２の上方が開口され、この一時貯液室１２に液供給ノズル５１が着脱自在に連結されたのち、定量ポンプ５２が駆動されて一時貯液室１２内に所定量、つまり単一のリチウム二次電池に必要な量の有機電解液が注入される。そののち、液供給ノズル５１が取り外され、注液ホッパー１１の開口部が蓋体１７により気密に施蓋される。
【００３５】
上述のように注液チャンバ２７の内部が密閉空間とされたのちに、第２の弁制御部５０は、第２の電磁弁３９を開かせて第２の真空ポンプ３８により注液チャンバ２７内部の密閉空間を高圧で真空引きさせる。これにより注液チャンバ２７内部の密閉空間が高速度で減圧されていき、この注液チャンバ２７の密閉空間の真空度が設定圧計測用真空ゲージ４８により計測される。第２の弁制御部５０は、設定圧計測用真空ゲージ４８の計測値が所望の−９５ｋｐａの真空度に達した否かを常時監視しており、−９５ｋｐａの真空度に達したのを検知したときに、第２の電磁弁３９を閉じさせる。
【００３６】
電池ケース２９は注液チャンバ２７の密閉空間に収容されているので、この密閉空間が−９５ｋｐａの真空度まで減圧されるのに伴って電池ケース２９の内部も同圧に真空引きされる。これにより、電池ケース２９内の極板群３０の小さな隙間に存在する空気は内部が比較的高い真空度に減圧されているのに伴ってスムーズに外部に排気される。
【００３７】
つぎに、上述の一時貯液室１２内への所定量の有機電解液の注入が完了したときに、第１の弁制御部４７は、第１の電磁弁３４を開かせて、第１真空ポンプ３２により注液ホッパー１１内部の一時貯液室１２を高圧で真空引きさせる。これにより一時貯液室１２が高速度で減圧されていき、この一時貯液室１２の真空度が設定圧計測用真空ゲージ４３により計測される。第１の弁制御部４７は、設定圧計測用真空ゲージ４３の計測値が−８５ｋｐａの真空度に達したか否かを常時監視しており、−８５ｋｐａの真空度に達したのを検知したときに、第１の電磁弁３４を閉じさせる。
【００３８】
上述のように、第１真空ポンプ３２により一時貯液室１２内を真空引きして−８５ｋｐａの真空度まで高速度で減圧されるので、電池ケース２９内の圧力の一時貯液室１２の圧力に対する圧力差が１０ｋＰａに設定されたことになる。一時貯液室１２内に注入されている所定量の有機電解液は、一時貯液室１２内が−８５ｋｐａの真空度まで減圧されることにより、内部に含有している気泡が効果的に除去される。
【００３９】
つぎに、弁開閉シリンダ１４が吸引動作されることにより、ホッパー開閉弁１３が上昇して注液ホッパー１１の注液口１１ａが開けられ、一時貯液室１２内の有機電解液が注液口１１ａから注液ノズル１８を通って電池ケース２９内に注液される。一時貯液室１２内の有機電解液の全量が電池ケース２９内に注液されたならば、ホッパー開閉弁１４が下降して注液ホッパー１１の注液口１１ａが閉じられる。その後、第１の弁制御部４７が電磁弁４１を開き、第２の弁制御部５０が電磁弁４２を開いて、一時貯液室１２と注液チャンバー２７を大気に開放する。これにより、電池ケース２９の上部に液溜まりとなっている有機電解液が極板群３０に含浸されていき、注液工程が終了する。そののち、メインシリンダ９の吸引動作により注液ユニット１０が上昇されるのに伴って注液チャンバ２７が電池ケース２９の上端よりも上方位置に退避されると、有機電解液の注液が終了した電池ケース２９が注液ステーションから次工程に搬送されていく。以下、同様の動作を繰り返す。
【００４０】
つぎに、本発明の特徴とする構成について、図５および図６を参照しながら説明する。図５（ａ）は注液ノズル１８の取付状態の拡大縦断面図、同図（ｂ）は（ａ）のＡ−Ａ線断面図である。注液ノズル１８は、図７に示した従来の注液ノズル６０の内径φ１（３．５〜３ｍｍ）の約２．３倍の大きな内径φ２（３．５〜７ｍｍ）を有しており、この内径φ２は、図７で説明した有機電解液の表面張力による液膜６３が生じない大きさである。また、注液ノズル１８の内部にはオリフィス状の流量抑制部材５３が設けられており、この流量抑制部材５３は、（ｂ）に示すように、注液ノズル１８の水平断面積の半分を僅かに超えるほぼ半円形の横断面形状と、（ａ）に示すように、台形状の縦断面形状とを有している。この流量抑制部材５３は、注液ノズル１８の上端からこれの内径φ２の約１．５倍の離間距離（３〜１４ｍｍ）Ｌだけ離れた位置で、且つ所定角度θ（約６０°）で斜めに切断した形状を有する下端開口の液出口１８ａの下端の先鋭導液端１８ｂに対し径方向で相対向する位置に配設されている。
【００４１】
上記注液ノズル１８から電池ケース２９に有機電解液を注液する場合には、注液工程の終了時に粘性の高い有機電解液の表面張力により注液ノズル１８の上端開口部に液膜を発生しようとする作用が生じるが、注液ノズル１８の内径φ２が従来の注液ノズルの内径φ１の約２．３倍と大きいので、液膜となる前に有機電解液の表面張力が減衰して有機電解液が注液ノズル１８内に流下するので、液膜が形成されない。そのため、注液工程の終了後に注液ホッパー１１の内壁面に付着している有機電解液は、注液ホッパー１１の注液口１１ａから注液ノズル１８内に流入したのち、流量抑制部材５３により一時的にせき止められるが、液膜が存在しないことにより、自重により直ちに流下して、所定角度θ（約６０°）で斜めに切断した形状を有する下端開口の液出口１８ａの下端の先鋭導液端１８ｂを伝わって電池ケース２９に滴下する過程を踏む。
【００４２】
このようにして注液ノズル１８における流量抑制部材５３と注液口１１ａとの間の内周壁に環状形状に付着しようとした付着液５４は、これの付着箇所である注液口１１ａから流量抑制部材５３までの離間距離Ｌを上述のように注液ノズル１８の内径φ２の約１．５倍に設定することにより、注液工程の終了時毎に恒常的に注液ノズル１８の内周面に付着しようとする状態を抑制される。すなわち、この付着液５４は、時間の経過に伴って注液ノズル１８の内壁を伝って滴下することがなく、ノズル径を大きくしているため、上記実施の形態のように、電池ケース２９と一時貯液室１２との間に差圧を設けない場合であっても、つまり、付着液５４の自重で落下させることが可能になった。そのため、電解液の注液が完了して次工程に搬送中の電池ケース２９に滴下する有機電解液が付着したり、注液装置上に滴下した有機電解液が飛散したりする不具合が発生することがなくなるから、腐食性を有する有機電解液の付着により電池ケース２９や注液設備を汚損させる恐れがないとともに、液ロスによる経済的損失も生じない。
【００４３】
また、その付着液５４は、注入すべき有機電解液の種類が変わらない限り同一の粘性抵抗を有する有機電解液の付着により形成されることから、付着条件が同じで、注液工程の終了時の付着液５４を確実に抑制することが可能となる。そのため、電池ケース２９への注液量は、ばらつきが生じることなく常に所定値に維持されるので、注液精度の向上に伴って所要の電池容量を確実に確保できる。
【００４４】
さらに、液膜の発生を防止する目的で内径φ２の大きい注液ノズル１８を用いているにも拘らず、注液ノズル１８の内部に設けた流量抑制部材５３により注液ノズル１８の内部容積を局部的に小さくしているので、注液ノズル１８内を流動する有機電解液の流量を絞ることができるのに伴って、有機電解液の極板群３０への含浸速度に適応する注液速度に制御することができるから、電解液の電池ケース２９からの液溢れや飛散が発生することがない。これにより、電池ケース２９と一時貯液室１２との間の圧力差を高精度に抑制する必要がなく、電池ケース２９と一時貯液室１２とを同一圧力に設定してもよい。
【００４５】
また、流量抑制部材５３は、台形状の縦断面形状を有して注液ノズル１８の下端開口の液出口１８ａの先鋭導液端１８ｂに対し径方向で相対向する位置に配設されているので、図５（ａ）に矢印で示すように、有機電解液を台形状の上部斜面に沿って流動させることによって先鋭導液端１８ｂに向けて流下するようにガイドするので、注液ノズル１８の注出口１８ａから流出するときの有機電解液の液切れ性が有効に向上する。
【００４６】
さらに、図６に示すように、取付ねじ２４を図１の下部連結フレーム７から抜脱することにより、固定ねじ２３により一体化された注液ホッパー１１と注液ノズル１８とを容易に取り外すことができるから、注液すべき有機電解液の粘性の相違に応じて適応する内径φ２を有する注液ノズル１８を適宜選択して交換することができる。これにより、有機電解液の極板群３０への含浸速度に対応した注液速度を好適に設定することができ、注液時間を効果的に短縮することができる。
【産業上の利用可能性】
【００４７】
この発明に係るリチウム二次電池の注液方法によれば、注液ノズルを有機電解液の表面張力による液膜が生じない内径としたので、注液工程の終了時に有機電解液が液膜となる前に崩壊して注液ノズル内に流下し、液膜が形成されないので、注液工程の終了後に注液ホッパーの内壁面に付着している有機電解液は、注液ノズルにおける流量抑制部材と注液口との間の内周壁に環状形状に恒常的に付着することが抑制され、電池ケースへの注液量をばらつきが生じることなく常に所定値に維持することができ、注液精度の向上に伴って所要の電池容量を確実に確保できる。しかも、注液ノズルの内壁面に、有機電解液の極板群への含浸速度に適応する有機電解液の流量を設定する流量抑制部材を設けたので、電解液の電池ケースからの液溢れや飛散が発生することがない。また、本発明のリチウム二次電池の注液装置によれば、注液ノズルが、有機電解液の表面張力による液膜が生じない内径を有し、且つ有機電解液の極板群への含浸速度に適応する有機電解液の流量を設定する流量抑制部材が内壁面に設けられているので、本発明の注液方法を忠実に具現化して、その注液方法と同様の効果を確実に得ることができる。
【図面の簡単な説明】
【００４８】
【図１】本発明の一実施の形態に係るリチウム二次電池の注液方法を具現化した注液装置を示す要部破断した正面図
【図２】同上の注液装置の配管系統図
【図３】電池ケース内の圧力と電解液の吸液時間との関係を示す特性図
【図４】電池ケース内の一時貯液室に対する圧力差と注液ノズル内の有機電解液の流速との関係を示す特性図
【図５】（ａ）は同上の注液装置における注液ノズルの取付状態の拡大縦断面図、（ｂ）は（ａ）のＡ−Ａ線断面図
【図６】同上の注液ノズルと注液ホッパーとを示す縦断面図
【図７】従来の注液装置における注液ノズルの取付状態の縦断面図
【符号の説明】
【００４９】
１１  注液ホッパー
１１ａ  注液口
１２  一時貯液室
１３  ホッパー開閉弁
１８  注液ノズル
１８ａ  液出口
１８ｂ  先鋭導液端
２７  注液チャンバ
２９  電池ケース
３０  極板群
５３  流量抑制部材
φ１  注液ノズルの内径
Ｌ  離間距離
【図１】
2008091065.tif 000003
【図２】
2008091065.tif 000004
【図３】
2008091065.tif 000005
【図４】
2008091065.tif 000006
【図５】
2008091065.tif 000007
【図６】
2008091065.tif 000008
【図７】
2008091065.tif 000009